(57)【要約】【課題】制御部がＲ／Ｇ／Ｂの信号情報を送信するケーブルが接続される光変調部搭載用の基板が交換された際の、ケーブル挿し間違いを、基板の外部にあってケーブルに接続された制御部が検出することを可能とする。【解決手段】本発明の一態様は、互いに異なる色光を射出する光源部と、前記光源部から射出された光を信号情報に応じて変調する光変調部と、前記光変調部により変調された光を投射する投射光学部と、前記信号情報を前記光変調部に対してケーブルを介して送信する制御部と、を備えたプロジェクタであって、前記光源部は、前記互いに異なる色光の光量を測定する光センサーを有し、前記制御部は、前記光変調部に対して所定の信号情報を送信し、前記光センサーが測定した光量に基づいて、前記ケーブルの前記光変調部に対する挿し間違いがないか否かを検出する、ことを特徴とするプロジェクタである。【選択図】図５
2020181156.tif 000002
【特許請求の範囲】
【請求項１】
互いに異なる色光を射出する光源部と、
前記光源部から射出された光を信号情報に応じて変調する光変調部と、
前記光変調部により変調された光を投射する投射光学部と、
前記信号情報を前記光変調部に対してケーブルを介して送信する制御部と、を備えたプロジェクタであって、
前記光源部は、前記互いに異なる色光の光量を測定する光センサーを有し、
前記制御部は、前記光変調部に対して所定の信号情報を送信し、前記光センサーが測定した光量に基づいて、前記ケーブルの前記光変調部に対する挿し間違いがないか否かを検出する、
ことを特徴とするプロジェクタ。
【請求項２】
前記所定の信号情報は、前記互いに異なる色光のうち、一つの色光が前記光変調部において変調されることを示す信号情報であって、
前記投射光学部は、変調された前記一つの色光を投射し、前記互いに異なる色光のうち、残りの色光を投射せず、
前記光センサーが測定する光量のうち、前記一つの色光の光量には、前記光変調部を含んで構成されるプリズムユニット内で反射された戻り光の光量が含まれており、一方、前記残りの色光の光量には、前記戻り光の光量が含まれず、
前記制御部は、前記光センサーが測定した光量が、予め設定された光量に対して所定のマージン量を設定した光量閾値範囲内にある場合、前記ケーブルの前記光変調部に対する挿し間違いがない、と検出する、
ことを特徴とする請求項1に記載のプロジェクタ。
【請求項３】
前記光センサーが測定する光量のうち、前記一つの色光の光量には、前記光変調部を含んで構成されるプリズムユニット内で反射された戻り光の光量が含まれておらず、一方、前記残りの色光の光量には、前記戻り光の光量が含まれており、
前記制御部は、前記光センサーが測定した光量が、予め設定された光量に対して所定のマージン量を設定した光量閾値範囲外にある場合、前記ケーブルの前記光変調部に対する挿し間違いがある、と検出する、
ことを特徴とする請求項２に記載のプロジェクタ。
【請求項４】
前記光変調部は、前記互いに異なる色光に対応する色別光変調部から構成され、前記色別光変調部はミラーを搭載し、
前記投射光学部が、変調された前記一つの色光を投射し、前記互いに異なる色光のうち、残りの色光を投射しない場合、
前記光変調部において、前記一つの色光に対応する前記色別光変調部は、前記ミラーを前記投射光学部に傾け、前記残りの色光に対応する前記色別光変調部は、前記ミラーを吸収部に傾ける、
ことを特徴とする請求項２または請求項３に記載のプロジェクタ。
【請求項５】
前記予め設定された光量を記憶する記憶部を備え、
前記制御部は、市場に出荷された直後の前記プロジェクタの起動時において、前記互いに異なる色光を射出する前記光源部の光量を前記光センサーで取得し、前記光源部の光量の値を１００％として前記記憶部に保存し、
以後、前記プロジェクタの起動時には前記記憶部に保存された１００％の値と比較することで、前記光源部の劣化により出荷時と比べて光量が何%に下がったかを測定し、測定した１００％以下の％値を前記記憶部に保存し、
前記ケーブルの挿し間違い検出を行う際は、前記１００％以下の％値を前記記憶部から呼び出し、記憶部に保存された挿し間違いがない場合の光センサー値である前記予め設定された光量に乗算することで前記光源部の劣化を考慮した値を算出し、挿し間違い検出の際に取得した光センサーの値と前記光源部の劣化を考慮した値で比較する、
ことを特徴とする請求項２から請求項４のいずれか一項に記載のプロジェクタ。
【請求項６】
表示部を備え、
前記制御部は、前記ケーブルの前記光変調部に対する挿し間違いがある、と検出した場合、挿し間違いを検出したことと前記ケーブルの接続状況とを前記表示部に表示させる、
ことを特徴とする請求項１または請求項３から請求項５のいずれか一項に記載のプロジェクタ。
【請求項７】
互いに異なる色光を射出する光源部と、
前記光源部から射出された光を信号情報に応じて変調する光変調部と、
前記光変調部により変調された光を投射する投射光学部と、
前記信号情報を前記光変調部に対してケーブルを介して送信する制御部と、を備えたプロジェクタの制御方法であって、
前記光源部は、前記互いに異なる色光の光量を測定する光センサーを有し、
前記制御部は、前記光変調部に対して所定の信号情報を送信し、前記光センサーが測定した光量に基づいて、前記ケーブルの前記光変調部に対する挿し間違いがないか否かを検出する、
ことを特徴とするプロジェクタの制御方法。
【発明の詳細な説明】
【技術分野】
【０００１】
本発明は、プロジェクタ、およびプロジェクタの制御方法に関する。
【背景技術】
【０００２】
シネマプロジェクタのように興業目的で用いられるプロジェクタにおいて、動作不良や寿命で部品交換を行う際は次の興業に支障が生じないようにミスなく、手早く行うことが重要となる。しかし、シネマプロジェクタのような大型プロジェクタ内部には類似及び同様のケーブルが数多く存在し、部品交換を行う作業者が接続ミスを行うことが少なくない。
【０００３】
このため、部品交換時にケーブルの挿し間違いが発生した場合、直ちに誤接続箇所を特定し早急に正しい接続に修正する必要がある。なぜなら、誤接続箇所が判定できずに興業の時間に達してしまった場合、興業自体を中断せざる得ない事態に陥る可能性があるためである。
【０００４】
ここで、プロジェクタにおいては、Ｒ／Ｇ／Ｂそれぞれの映像信号を、Ｄｉｇｉｔａｌ Ｍｉｃｒｏｍｉｒｒｏｒ Ｄｅｖｉｃｅ（ＤＭＤ（登録商標））を搭載する基板に対して伝送するケーブルは、色毎に挿す箇所が決められている。しかしながら、誤接続が発生し出力される色が反転しても誤接続自体を検出することが出来ないため、問題発生箇所がケーブル、若しくはその他の要因かを判断するのに時間を要する。そのため、興業に支障をきたさぬよう早い段階で作業者に誤接続を知らせる必要がある。
【０００５】
ケーブルの挿し間違いを検出する先行技術として、ケーブルが接続される基板に対して、誤接続状態を検出する誤接続検出回路を搭載することで誤接続は防止・検出するものがあげられる（例えば、特許文献１参照）。
【先行技術文献】
【特許文献】
【０００６】
【特許文献１】特開２０１４−０８２６８１号公報
【発明の概要】
【発明が解決しようとする課題】
【０００７】
しかしながら、プロジェクタにおいて、コネクタ部分やＤＭＤ（光変調部）搭載用のプリズムユニット（基板）は既製品であるため、上記の先行技術の方法ではコストがかかることが問題として挙げられる。また、挿し間違え防止の為にコネクタの形状に変化を持たせることも上記と同じコストがかかるという問題が挙げられる。
【０００８】
そこで、本発明は、上記の点に鑑みてなされたものであり、主たる目的は、制御部がＲ／Ｇ／Ｂの信号情報を送信するケーブルが接続される光変調部搭載用の基板が交換された際の、ケーブル挿し間違いを、基板の外部にあってケーブルに接続された制御部が検出することを可能とすることにある。
【課題を解決するための手段】
【０００９】
上記課題を解決するため、本発明の一態様は、互いに異なる色光を射出する光源部と、前記光源部から射出された光を信号情報に応じて変調する光変調部と、前記光変調部により変調された光を投射する投射光学部と、前記信号情報を前記光変調部に対してケーブルを介して送信する制御部と、を備えたプロジェクタであって、前記光源部は、前記互いに異なる色光の光量を測定する光センサーを有し、前記制御部は、前記光変調部に対して所定の信号情報を送信し、前記光センサーが測定した光量に基づいて、前記ケーブルの前記光変調部に対する挿し間違いがないか否かを検出する、ことを特徴とするプロジェクタである。
【００１０】
また、本発明の一態様は、互いに異なる色光を射出する光源部と、前記光源部から射出された光を信号情報に応じて変調する光変調部と、前記光変調部により変調された光を投射する投射光学部と、前記信号情報を前記光変調部に対してケーブルを介して送信する制御部と、を備えたプロジェクタの制御方法であって、前記光源部は、前記互いに異なる色光の光量を測定する光センサーを有し、前記制御部は、前記光変調部に対して所定の信号情報を送信し、前記光センサーが測定した光量に基づいて、前記ケーブルの前記光変調部に対する挿し間違いがないか否かを検出する、ことを特徴とするプロジェクタの制御方法である。
【発明の効果】
【００１１】
本発明の各態様によれば、プロジェクタにおいて、制御部は、光変調部に対して所定の信号情報を送信したときの、光センサーが測定した光量に基づいて、ケーブルの光変調部に対する挿し間違いがないか否かを検出する。これにより、制御部がＲ／Ｇ／Ｂの信号情報を送信するケーブルが接続される光変調部搭載用の基板が交換された際の、ケーブル挿し間違いを、基板の外部にあってケーブルに接続された制御部が検出することを可能とすることができる。また、先行技術の様に、コネクタ部分に誤接続検出回路などの新たな回路を追加すること、或いはコネクタに変化を持たせることによるコストの増加を抑制することが可能となる。
【図面の簡単な説明】
【００１２】
【図１】本実施形態のプロジェクタ１００の一例を示すブロック図である。
【図２】図１に示すプロジェクタ１００において投射レンズ３０がＲｅｄ単色を投射した場合の光源ユニット１０から投射レンズ３０までの一例を示す模式図である。
【図３】図１に示すプロジェクタ１００がＲｅｄ単色を出力した時の光センサー値を示す図である。
【図４】本実施形態のプロジェクタ１００の実施手順における処理の流れを示すフローチャートである。
【図５】本実施形態のプロジェクタ１００の主要な構成を示す図である。
【発明を実施するための形態】
【００１３】
（本実施形態の装置構成）
以下、本実施形態のプロジェクタ１００の構成を、図１を用いて説明する。図１は、本実施形態のプロジェクタ１００の一例を示すブロック図である。
プロジェクタ１００は、光源ユニット１０（光源部）、プリズムユニット２０（基板）、投射レンズ３０（投射光学部）、制御部４０、記憶部５０、および表示部７０を含んで構成される。
【００１４】
光源ユニット１０は、互いに異なる色光を射出する。ここで、互いに異なる色光は、例えば、赤（Ｒ）、緑（Ｇ）、青（Ｂ）を採用することができる。なお、光量を増加させる場合には、例えば、ＲＧＢの他に白（Ｗ）を採用してもよく、さらには、必要に応じて、藍色（Ｃ）、深紅色（Ｍ）、黄色（Ｙ）を採用してもよい。なお、以下の説明においては、光源ユニット１０は、例えば、赤色光を射出するＬＥＤ（Ｌｉｇｈｔ Ｅｍｉｔｔｉｎｇ Ｄｉｏｄｅ；発光ダイオード）−Ｒ、緑色光を射出するＬＥＤ−Ｒ、青色光を射出するＬＥＤ−Ｂを固定光源として有しており、３つの色光Ｒ／Ｇ／Ｂを、射出するものとする。
【００１５】
また、光源ユニット１０は、光源から出力（射出）されたＲ／Ｇ／Ｂそれぞれの光量を測定する光センサー１１を有している。制御部４０は、光源から出力されるＲ／Ｇ／Ｂの光量を、光センサー１１を介して取得できる。ここで測定される値は絵柄（カラー画像）を形成するＤＭＤ（ＲＥＤ）２１−Ｒ、ＤＭＤ（ＧＲＥＥＮ）２１−G、ＤＭＤ（ＢＬＵＥ）２１−Bより手前の値になるため、光源ユニット１０の出力値を変化させない限り一定の値が取得される。
【００１６】
プリズムユニット２０は、ＤＭＤ（ＲＥＤ）２１−Ｒ、ＤＭＤ（ＧＲＥＥＮ）２１−Ｇ、ＤＭＤ（ＢＬＵＥ）２１−Ｂを有している。これらのＤＭＤ各々は、入射光を反射する多数のミラー（マイクロミラー）を有し、後述する制御部４０からの駆動信号（信号情報）に応じて入射光の反射方向をマイクロミラーの傾きを変える（オン／オフ）ことにより、光源ユニット１０から射出される光を画像情報に応じて変調して光学像を形成する。
そして、ＤＭＤ各々に入射する光のうち、所定の第１角度方向に偏向される光（マイクロミラーがオン状態の時）は、投射レンズ３０により拡大投射され、所定の第２角度方向に偏向される光（マイクロミラーがオフ状態の時）は、不要光として、図１においては不図示の光吸収部材（図３を用いて後述する吸収部６０）により吸収される。
【００１７】
なお、以下の説明において、ＤＭＤ（ＲＥＤ）２１−Ｒを、互いに異なる色光に対応する色別光変調部２１−Ｒと、ＤＭＤ（ＧＲＥＥＮ）２１−Ｇを色別光変調部２１−Ｇと、ＤＭＤ（ＢＬＵＥ）２１−Ｂを色別光変調部２１−Ｂと言い、光変調部２１は、色別光変調部２１−Ｒ、色別光変調部２１−Ｇ、および色別光変調部２１−Ｂを含んで構成されるものとする。
【００１８】
制御部４０は、ＣＰＵ（Ｃｅｎｔｒａｌ Ｐｒｏｃｅｓｓｉｎｇ Ｕｎｉｔ）等の演算処理装置によりプロジェクタ１００全体を制御するものであり、画像処理手段４１と、ＤＭＤ駆動制御手段４２と、光源駆動制御手段４３とを備える。
画像処理手段４１は、プロジェクタ１００外部から入力された画像情報に基づいてＲ／Ｇ／Ｂの各色光に応じた画像信号を生成してＤＭＤ駆動制御手段４２、及び光源駆動制御手段４３に出力する。
ＤＭＤ駆動制御手段４２は、画像処理手段４１により生成される各色光に応じた画像信号に基づいて光変調部２１を時分割で駆動する。
光源駆動制御手段４３は、光変調部２１の駆動と同期して光源ユニット１０におけるＬＥＤ−Ｒ、ＬＥＤ−Ｇ、及びＬＥＤ−Ｂの点灯を制御し、光源ユニット１０にＲ／Ｇ／Ｂの各色光を時分割で射出させる。
【００１９】
すなわち、制御部４０は、色別光変調部２１−Ｒ、色別光変調部２１−Ｇ、および色別光変調部２１−Ｂに駆動信号（信号情報）を、それぞれケーブルＣ−Ｒ、ケーブルＣ−ＧケーブルＣ−Ｂを介して送信し、Ｒ／Ｇ／Ｂ各色の画像情報に応じて色別光変調部２１−Ｒ、色別光変調部２１−Ｇ、および色別光変調部２１−Ｂ各々におけるマイクロミラーのオン／オフを実施させる。
また、制御部４０は、光源ユニット１０に駆動信号（信号情報）を送信し、光変調部２１の駆動と同期して各ＬＥＤを時分割で順次点灯してＲ／Ｇ／Ｂの各色光を射出させる。
結果として、光変調部２１からＲ／Ｇ／Ｂの光学像が形成され、これら各光学像が時間的に混合されてカラー画像が形成される。
【００２０】
投射レンズ３０は、プリズムユニット２０にて形成された光学像（カラー画像）を、図１においては不図示のスクリーン上に拡大投射する投射光学部である。この投射レンズ３０は、例えば、筒状の鏡筒内に複数のレンズが収納された組レンズとして構成されている。
【００２１】
記憶部５０は、本体設定情報やプロジェクタ１００固有の情報を保存するための記憶装置となる。
表示部７０は、プロジェクタ１００本体に搭載された液晶ディスプレイ、又はプロジェクタを外部から操作するためのコントロールソフトを指す。表示部７０にはプロジェクタの状態や設定、異常情報を出力され使用者がそれらを確認することが出来る。
【００２２】
図２は、図１に示すプロジェクタ１００において投射レンズ３０がＲｅｄ単色を投射した場合の光源ユニット１０から投射レンズ３０までの一例を示す模式図である。
なお、図２では、図１に示す制御部４０、記憶部５０、表示部７０については、説明が重複するため記載しておらず、図１の説明において述べた吸収部６０が記載されている。
プリズムユニット２０に搭載されたＲ／Ｇ／Ｂそれぞれに対応する色別光変調部２１−Ｒ、色別光変調部２１−Ｇ、および色別光変調部２１−Ｂは、制御部４０からケーブルＣ−Ｒ、ケーブルＣ−ＧケーブルＣ−Ｂを介して送信された駆動信号（信号情報）を基に、搭載されたミラーの傾きを信号情報に応じて変化させることで投射レンズ３０側に映像を出力する。
【００２３】
たとえば、Ｒｅｄ（色光Ｒ）単体を投射レンズ３０から出力したい場合、色光Ｒの色別光変調部２１−Ｒは投射レンズ３０側に光が反射するようにミラーを傾け、色光Ｇ／Ｂ（色光Ｇおよび色光Ｂ）の色別光変調部２１−Ｇ、および色別光変調部２１−Ｂは投射レンズ３０側では無い吸収部６０に向けて光が反射するようにミラーを傾ける。
すなわち、制御部４０は、制御部４０からケーブルＣ−Ｒ、ケーブルＣ−Ｇ、およびケーブルＣ−Ｂを介して駆動信号（所定の信号情報）を、色別光変調部２１−Ｒ、色別光変調部２１−Ｇ、および色別光変調部２１−Ｂに対して送信することによって、Ｒｅｄ（色光Ｒ）単体を投射レンズ３０から出力することができる。
【００２４】
ここで、色光Ｇ／Ｂの光を受ける吸収部６０は、光を受けることで高熱になるため、ヒートシンクを搭載した板状の構造を持っている。
吸収部６０に当たった光は投射レンズ３０を通してプロジェクタ１００外に出力されることは無いため、出力される映像はＲｅｄ（色光Ｒ）単色となる。
【００２５】
また、戻り光は、光源ユニット１０からプリズムユニット２０に入った光が、プリズムユニット２０内で反射し、光源ユニット１０の光源方向に戻ってくる光で、その強弱は出力する絵柄（カラー画像）によって変化する。
上記したＲｅｄ（色光Ｒ）単色を投射する場合、光源ユニット１０への戻り光はＲｅｄ単体となり、Ｇ／Ｂ（色光Ｇおよび色光Ｂ）の戻り光は発生しない。
この戻り光は、光源ユニット１０の光センサー１１によって、光量が測定されるが、測定された戻り光の光量については、後ほど「Ｒ／Ｇ／Ｂそれぞれのケーブルの誤接続を検出する方法について」において詳述する。
【００２６】
（本発明の実施例）
続いて、本発明の実施例について説明する。
（Ｒ／Ｇ／Ｂの光量計測と記憶方法について）
Ｒ／Ｇ／Ｂそれぞれの光量を、光源ユニット１０に取り付けられた光センサー１１を使用して計測する。制御部４０はプロジェクタ１００が起動し光源の出力が安定した際に、光センサー１１に対し光量の測定の指示をだす。
光センサー１１は、光源ユニット１０における光源から出力された光のＲ／Ｇ／Ｂそれぞれの値を測定し、取得した値を制御部４０に返す。光センサー１１から受け取った値は制御部４０を通してプロジェクタ１００内の記憶部５０に保存される。
【００２７】
（基板交換の検知について）
プリズムユニット２０（基板）が交換された場合、プロジェクタ１００は、以前まで使用していた本体設定状態及び、プロジェクタ固有で保持しているシリアルナンバー等の情報を引き継ぐために、記憶部５０に保存されている上記と同じ情報を交換後のプリズムユニット２０（基板）に同期するための動作を行う。
制御部４０はこの動作の実施を元に、対象基板であるプリズムユニット２０の交換が行われたことを判定する。
【００２８】
（Ｒ／Ｇ／Ｂそれぞれのケーブルの誤接続を検出する方法について）
市場に出荷されたプロジェクタ１００は工場で試験が実施されるため、ケーブル挿し間違えはない。また、工場での試験を終えたプロジェクタ１００は初期化され市場に出荷されるため、制御部４０は、初期化が行われた直後の光源点灯を伴う本体起動時にＲ／Ｇ／Ｂ単色のテストパターン（所定の信号情報）を順に出力し、Ｒｅｄ単色で出力した時のＲ／Ｇ／Ｂ全ての光量、Ｇｒｅｅｎ単色で出力した時のＲ／Ｇ／Ｂ全ての光量、Ｂｌｕｅ単色で出力した時のＲ／Ｇ／Ｂ全ての光量を、「予め設定された光量」として記憶部５０に保存する。
【００２９】
この時はケーブルの挿し間違いが発生していない状態なので、戻り光が含まれた分と含まれていない分の正しい値が記憶される。例えば、Ｒｅｄ単色で出力した場合は、Ｒの値のみが戻り光が含まれた値となりＧ／Ｂの値には戻り光が含まれていない値となる。
市場にて何らかの要因から基板の交換が行われた際、制御部４０は上記したＲ／Ｇ／Ｂの光量の値取得を再度行う。この時にケーブルの挿し間違いが発生していた場合、計測した値は記憶部５０に保存された値（予め設定された光量）とで相違が発生する。
【００３０】
例えば、ＲとＧのケーブル（ケーブルＣ−ＲとケーブルＣ−Ｇ）を逆に挿した場合に、Ｒｅｄ単色の出力をした時の値を計測すると、本来Ｒｅｄ単色で出力する際は戻り光が含まれた値を示すのはＲｅｄ値なのに対し、Ｇｒｅｅｎの値に戻り光が含まれた値が取得される。
ＲとＧのケーブルを逆に挿したことで、Ｒ単色の絵柄を出力する為に制御部４０が、ＲのＤＭＤ（色別光変調部２１−Ｒ）のミラーを投射レンズ３０側に反射させるよう傾けるはずが、Ｒの信号情報を送信する先に、ケーブルＣ−Ｒに接続されたＤＭＤ（色別光変調部）がＧ（色別光変調部２１−Ｇ）であるためにＧ（色別光変調部２１−Ｇ）におけるミラーが投射レンズ３０側に反射するよう傾く。
【００３１】
これにより、光源ユニット１０側への戻り光はＲではなくＧが戻ってくるため、ＲｅｄではなくＧｒｅｅｎの値に戻り光が含まれることとなる。この時の光センサー１１から取得された値を、記憶部５０に保存されたＲｅｄ単色を出力した時の値と比較すると、本来一致すべきＲｅｄの値が減少し、Ｇｒｅｅｎが戻り光分増加し、Ｂｌｕｅは変化なしとなる。この値の比較結果を元に制御部はＲのケーブル（ケーブルＣ−Ｒ）を接続すべき箇所にＧのケーブル（ケーブルＣ−Ｇ）が接続されていることを判断する。
次にＢｌｕｅ単色で出力したときの値を比較すると、本来一致すべきＢｌｕｅの値が減少し、Ｒｅｄが戻り光分増加し、Ｂｌｕｅは変化なしとなる。
この値の比較結果を元に制御部はＧのケーブル（ケーブルＣ−Ｇ）を接続すべき箇所にＲのケーブル（ケーブルＣ−Ｒ）が接続されていることを判断する。
【００３２】
このことから制御部４０は、ＲとＧのケーブル（ケーブルＣ−ＲとケーブルＣ−Ｇ）が逆に接続されていることを判断し、表示部７０に対して挿し間違いを検出したことと接続状況の詳細を表示させる。
【００３３】
図３は、図１に示すプロジェクタ１００がＲｅｄ単色を出力した時の光センサー値を示す図である。図３においては、光センサー１１が測定したＲ／Ｇ／Ｂの光センサー値（Ｒｅｄ、Ｇｒｅｅｎ、Ｂｌｕｅのセンサー値）を、それぞれ左側に記憶部５０に保存されている、挿し間違いがない場合の光センサー値（予め設定された光量）を示している。また、右側に、Ｒ／Ｇのケーブル（ケーブルＣ−ＲとケーブルＣ−Ｇ）を逆に挿し間違えた場合の光センサー値を示している。
【００３４】
上述したように、Ｇのケーブル（ケーブルＣ−Ｇ）を接続すべき箇所にＲのケーブル（ケーブルＣ−Ｒ）が接続されている場合、Ｒｅｄの光センサー値は、挿し間違いがない場合の光センサー値（予め設定された光量）より、戻り光分が減少した光センサー値となっている。また、Ｇｒｅｅｎの光センサー値は、挿し間違いがない場合の光センサー値（予め設定された光量）より、戻り光分が増加した光センサー値となっている。一方、Ｂｌｕｅの光センサー値は、挿し間違いがない場合の光センサー値（予め設定された光量）に対して変化がない光センサー値となっている。
【００３５】
このように、制御部４０は、光変調部２１（色別光変調部２１−Ｒ、色別光変調部２１−Ｇ、および色別光変調部２１−Ｂ）に対して駆動信号（所定の信号情報）を送信し、光センサー１１が測定した光量に基づいて、ケーブル（ケーブルＣ−Ｒ、ケーブルＣ−Ｇ、ケーブルＣ−Ｂ）の光変調部２１に対する挿し間違いがないか否かを検出する。
【００３６】
ここで、検出の際、所定の信号情報は、互いに異なる色光（Ｒ／Ｇ／Ｂ）のうち、一つの色光（上記説明ではＲ）が光変調部２１において変調されることを示す信号情報であって、投射レンズ３０（投射光学部）は、変調された一つの色光（Ｒ）を投射し、互いに異なる色光のうち、残りの色光（Ｇ／Ｂ）を投射しない。
ケーブルの光変調部２１に対する挿し間違いがない場合、光センサー１１が測定する光量のうち、一つの色光（Ｒ）の光量には、光変調部２１を含んで構成されるプリズムユニット２０内で反射された戻り光の光量が含まれており、一方、残りの色光（Ｇ／Ｂ）の光量には、戻り光の光量が含まれていない。そのため、制御部４０は、光センサー１１が測定した光量が、挿し間違いがない場合の光センサー値（予め設定された光量）に対して所定のマージン量を設定した光量閾値範囲内にある場合、ケーブルの光変調部２１に対する挿し間違いがない、と検出する。
【００３７】
これに対して、ケーブルの光変調部２１に対する挿し間違いがある場合、光センサー１１が測定する光量のうち、一つの色光（Ｒ）の光量には、光変調部２１を含んで構成されるプリズムユニット２０内で反射された戻り光の光量が含まれておらず、一方、残りの色光（Ｇ／Ｂ）の光量には、戻り光の光量が含まれている。そのため、制御部４０は、光センサー１１が測定した光量が、挿し間違いがない場合の光センサー値（予め設定された光量）に対して所定のマージン量を設定した光量閾値範囲外にある場合、ケーブルの光変調部２１に対する挿し間違いがある、と検出する。
【００３８】
なお、Ｒ／Ｇ／Ｂ全てのケーブル（ケーブルＣ−Ｒ、ケーブルＣ−Ｇ、ケーブルＣ−Ｂ）が間違った箇所に接続された場合であっても、Ｒｅｄ、Ｂｌｕｅ単色の値を比較した時点で、２つのケーブルがどの箇所に間違って接続されているかを特定できるため残りの1つも、どの箇所に誤接続されているかを判断できる。
【００３９】
（光源ユニットの劣化による光量変化への対応方法について）
プロジェクタ１００の光源は、経年劣化し出力する光量が下がっていく。劣化した状態で光センサー１１から取得された値は、市場に出荷された時の値より減少する。このため、プリズムユニット２０（基板）交換が行われ、ケーブルの挿し間違い検出を行う場合は、記憶部５０に保存された正常時の値に光源劣化分を考慮する。
制御部４０は、市場に出荷された直後の光源点灯を伴う本体起動時の光源の光量を光センサー１１で取得し、この値を１００%として記憶部５０に保存する。
以後、光源点灯を伴う本体起動時には上記と同じ条件で光源の光量を光センサー１１で取得する。その際に取得された値を記憶部５０に保存された１００%時の値と比較することで、光源の劣化により出荷時と比べて光量が何％に下がったかを測定できる。この時、測定した%値を記憶部５０に保存する。
ケーブルの挿し間違い検出が行う際は、この%値を記憶部５０から呼び出し、挿し間違い検出の際に取得した光センサーの値と記憶部５０に保存された挿し間違いがない場合の光センサー値に乗算することで、光源の劣化が考慮された値で比較することが可能になる。
【００４０】
すなわち、プロジェクタ１００は、予め設定された光量を記憶する記憶部５０を備えており、制御部４０は、市場に出荷された直後のプロジェクタ１００の起動時において、互いに異なる色光を射出する光源ユニット１０の光量を光センサー１１で取得し、光源ユニット１０の光量の値を１００％として記憶部５０に保存する。制御部４０は、以後、プロジェクタ１００の起動時には記憶部５０に保存された１００％の値と比較することで、光源ユニット１０の劣化により出荷時と比べて光量が何%に下がったかを測定し、測定した１００％以下の％値を記憶部５０に保存する。そして、制御部４０は、ケーブルの挿し間違い検出を行う際は、１００％以下の％値を記憶部５０から呼び出し、記憶部５０に保存された挿し間違いがない場合の光センサー値である予め設定された光量に乗算することで光源ユニット１０の劣化を考慮した値を算出し、挿し間違い検出の際に取得した光センサーの値と光源ユニット１０の劣化を考慮した値で比較する。
これにより、光源ユニット１０の劣化による光量変化へ対応することができる。
【００４１】
（本実施形態のプロジェクタ１００の実施手順について）
図４は、本実施形態のプロジェクタ１００の実施手順における処理の流れを示すフローチャートである。
ＰｏｗｅｒＯｎ開始する（ステップＳＴ１０）。
具体的には、ユーザは、プロジェクタ１００を起動するための電源をオンする。
基板交換の実施があったことを確認する（ステップＳＴ１１）。
具体的には、制御部４０は、上記（基板交換の検知について）に記載の手法により、対象基板であるプリズムユニット２０の交換が行われたことを判定する。
【００４２】
対象基板の交換が行われていないと判定した場合（ステップＳＴ１１−Ｎｏ）、ステップＳＴ１７に進む。
ＰｏｗｅｒＯｎ完了する（ステップＳＴ１７）。
制御部４０は、ケーブル挿し間違いはないので、ＰｏｗｅｒＯｎ動作は完了したものとみなし、プロジェクタ１００全体を制御する動作に移行する。
【００４３】
一方、対象基板の交換が行われたと判定した場合（ステップＳＴ１１−Ｙｅｓ）、ステップＳＴ１２に進む。
Ｒ／Ｇ／Ｂそれぞれ単色の絵柄（カラー画像）を出力し、各色毎の光センサーの値を取得する（ステップＳＴ１２）。
具体的には、制御部４０は、プリズムユニット２０における光変調部２１にＲ／Ｇ／Ｂそれぞれ単色の光学像を形成させる。また、制御部４０は、光センサー１１から各色毎の光センサーの値を取得する。
【００４４】
記憶部に保存された正常時の光センサー時の値を呼び出す（ステップＳＴ１３）。
具体的には、制御部４０は、記憶部５０に保存された、挿し間違いがない場合の光センサー値（予め設定された光量）を記憶部５０から呼び出す。
【００４５】
記憶部に保存された値と、取得した値に光源劣化分を考慮した考慮した現在の比率を乗算した値を比較し相違があるかを確認する（ステップＳＴ１４）。
具体的には、制御部４０は、上記（光源ユニットの劣化による光量変化への対応方法について）に記載の手法により、比較対象となる２つのセンサー値に相違があるか否かを判定する。
【００４６】
ステップＳＴ１４において、比較対象となる２つのセンサー値に相違がないと判定した場合（ステップＳＴ１４−Ｎｏ）、ステップＳＴ１７に進む。
ＰｏｗｅｒＯｎ完了する（ステップＳＴ１７）。
制御部４０は、ケーブル挿し間違いはないので、ＰｏｗｅｒＯｎ動作は完了したものとみなし、プロジェクタ１００全体を制御する動作に移行する。
【００４７】
一方、ステップＳＴ１４において、比較対象となる２つのセンサー値に相違があると判定した場合（ステップＳＴ１４−Ｙｅｓ）、ステップＳＴ１５に進む。
ケーブルの挿し間違えを検出する（ステップＳＴ１５）。
具体的には、制御部４０は、上記（Ｒ／Ｇ／Ｂそれぞれのケーブルの誤接続を検出する方法について）に記載の手法により、ケーブルＣ−Ｒ、ケーブルＣ−Ｇ、およびケーブルＣ−Ｂの挿し間違えを検出する。
【００４８】
表示部に挿し間違えの詳細を表示する（ステップＳＴ１６）。
具体的には、制御部４０は、ステップＳＴ１５において、ケーブルＣ−Ｒ、ケーブルＣ−Ｇ、およびケーブルＣ−Ｂの挿し間違えを検出し、表示部７０に対して挿し間違いを検出したことと接続状況の詳細を表示させる。
【００４９】
以上説明したように、本実施形態のプロジェクタ１００においては、プリズムユニット２０（基板）からの戻り光から、色別光変調部２１−Ｒ，色別光変調部２１−Ｇ，色別光変調部２１−Ｂ（光変調部）へと接続された色光Ｒ／Ｇ／Ｂそれぞれのケーブル（ケーブルＣ−Ｒ，ケーブルＣ−Ｇ，ケーブルＣ−Ｂ）の挿し間違いを検知し、それをユーザに通知することで不具合箇所の早期発見を施すことが可能となる。
【００５０】
次に、図５を参照して、本発明の実施形態の基本的構成例について説明する。図５は、本実施形態のプロジェクタ１００の主要な構成を示す図である。
図５に示すプロジェクタ１００は、光源ユニット１０（光源部）と、色別光変調部２１−Ｒ，色別光変調部２１−Ｇ，色別光変調部２１−Ｂ（光変調部）と、投射レンズ３０（投射光学部）と、制御部４０と、を備える。
光源ユニット１０は、互いに異なる色光（Ｒ、Ｇ、Ｂ）を射出する。
色別光変調部２１−Ｒ，色別光変調部２１−Ｇ，色別光変調部２１−Ｂ（光変調部）は、光源ユニット１０から射出された光を信号情報に応じて変調する。
投射レンズ３０は、色別光変調部２１−Ｒ，色別光変調部２１−Ｇ，色別光変調部２１−Ｂ（光変調部）により変調された光を投射する。
制御部４０は、信号情報を色別光変調部２１−Ｒ，色別光変調部２１−Ｇ，色別光変調部２１−Ｂ（光変調部）に対してケーブルＣ−Ｒ，ケーブルＣ−Ｇ，ケーブルＣ−Ｂ（ケーブル）を介して送信する。
光源ユニット１０は、互いに異なる色光（Ｒ，Ｇ，Ｂ）の光量を測定する光センサーを有している。
制御部４０は、色別光変調部２１−Ｒ，色別光変調部２１−Ｇ，色別光変調部２１−Ｂ（光変調部）に対して所定の信号情報を送信し、光センサー１１が測定した光量に基づいて、ケーブルＣ−Ｒ，ケーブルＣ−Ｇ，ケーブルＣ−Ｂ（ケーブル）の色別光変調部２１−Ｒ，色別光変調部２１−Ｇ，色別光変調部２１−Ｂ（光変調部）に対する挿し間違いがないか否かを検出する。
【００５１】
この構成により、制御部４０がＲ／Ｇ／Ｂの信号情報を送信するケーブル（ケーブルＣ−Ｒ，ケーブルＣ−Ｇ、ケーブルＣ−Ｂ）が接続される光変調部２１搭載用の基板（プリズムユニット２０）が交換された際の、ケーブル挿し間違いを、基板の外部にあってケーブルに接続された制御部４０が検出することを可能とすることができる。また、先行技術の様に、コネクタ部分に誤接続検出回路などの新たな回路を追加すること、或いはコネクタに変化を持たせることによるコストの増加を抑制することが可能となる。
【００５２】
以上、この発明の実施形態について図面を参照して説明してきたが、具体的な構成は上記実施形態に限られるものではなく、この発明の要旨を逸脱しない範囲の設計等も含まれる。
【００５３】
例えば、図５に示す制御部４０の機能を実現するためのプログラムをコンピュータ読み取り可能な記録媒体に記録して、この記録媒体に記録されたプログラムをコンピュータシステムに読み込ませ、実行することにより、制御工程を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【符号の説明】
【００５４】
１０…光源ユニット、１１…光センサー、２０…プリズムユニット、２１…光変調部、２１−Ｒ，２１−Ｇ，２１−Ｂ…色別光変調部、３０…投射レンズ、４０…制御部、６０…吸収部、７０…表示部、１００…プロジェクタ、Ｃ−Ｒ，Ｃ−Ｇ，Ｃ−Ｂ…ケーブル
【図１】
2020181156.tif 000003
【図２】
2020181156.tif 000004
【図３】
2020181156.tif 000005
【図４】
2020181156.tif 000006
【図５】
2020181156.tif 000007